(57)【要約】【課題】本発明は、エマージェンシーキーが引っ張られた際のガタツキを抑制することができる電子キーを提供することを目的とする。【解決手段】本発明の電子キーは、下ケース２０と、この下ケース２０に設けた収納部２２と、収納部２２に挿入されるエマージェンシーキー１００と、下ケース２０内に設けた溝状のガイド部２５と、このガイド部２５に沿って摺動し、収納部２２に挿入されたエマージェンシーキー１００の窪み部１０２に先端部５３が嵌合し、エマージェンシーキー１００をロックするスライド部５０とを備える。このスライド部５０は、ガイド部２５の側壁２７に突出する第１の突出部５５を先端部５３に、ガイド部２５の側壁２８に突出する第２の突出部５６を後端部５２にそれぞれ設けた。【選択図】図１
2014111857.tif 000002
【特許請求の範囲】
【請求項１】
ケースと、
このケースに設けた収納部と、
前記収納部に挿入されるエマージェンシーキーと、
前記ケースの内部に設けた溝状のガイド部と、
このガイド部に沿って摺動し、前記収納部に挿入されたエマージェンシーキーの溝部と先端部で当接して、前記エマージェンシーキーをロックするスライド部とを備え、
このスライド部は、前記収納部の入口側に突出して前記ガイド部の側壁に当接可能な第１の突出部を先端部に、前記収納部の奥側に突出して前記ガイド部の側壁に当接可能な第２の突出部を後端部にそれぞれ設けたことを特徴とする電子キー。
【請求項２】
前記スライド部の先端部は、スロープ部を有し、このスロープ部が前記エマージェンシーキーの窪み部と当接することを特徴とする請求項１に記載の電子キー。
【請求項３】
前記スライド部は、前記先端部とガイド部との隙間、前記後端部とガイド部との隙間がともに寸法公差以上に設定されたことを特徴とする請求項２に記載の電子キー。
【発明の詳細な説明】
【技術分野】
【０００１】
本発明は、ドアを開閉する遠隔制御システムに用いられる機械式キー付きの電子キーに関する。
【背景技術】
【０００２】
従来、キーレスエントリ等のように、電子キーと電子装置間で無線通信を行ってドアを施解錠するといったセキュリティ機能の動作を行う電子キーシステムが知られている。この電子キーシステムで用いられる電子キーには、電池切れ等の非常用に機械式キーであるエマージェンシーキーが収納されている。電子キーの本体には、収納されたエマージェンシーキーの抜け防止のためにロック機構が設けられている。（例えば、特許文献１を参照）。
【先行技術文献】
【特許文献】
【０００３】
【特許文献１】特開２００５−２１３９３２号公報
【発明の概要】
【発明が解決しようとする課題】
【０００４】
しかし、特許文献１のように、スライド部をエマージェンシーキーの係合溝に嵌合させてロックを行う場合、エマージェンシーキーにガタツキが生じるという問題があった。
【０００５】
図７は、従来のエマージェンシーキーのロック機構の構造を説明する図である。図７に示すように、従来のロック機構は、エマージェンシーキーの棒状部１０１をスライド部５０でロックしている。スライド部５０は、ガイド壁２７、２８に挟まれたガイド部２５内に配置される。側壁２７、２８とスライド部５０との間には、寸法公差のためにそれぞれ隙間が設けられている。ガイド部２５の端部の突出部２５ａにはバネ６０が挿入される。バネ６０はスライド部５０に後端部５２から挿入されてスライド部を図７の紙面左方向に付勢する。この付勢力によって図７の紙面左方向にスライドしたスライド部５０の先端部５３はエマージェンシーキーの窪み部１０２に嵌合する。これによって、エマージェンシーキーはロックされる。このとき、先端部５３のスロープ部５４は窪み部１０２の当接面１０４に当接して当接面１０４を図７の紙面下方向に押圧する。
【０００６】
図８は、図７の状態からロックが完了した状態を説明する図である。図８に示すように、付勢力によって先端部５３が図７の状態からさらに紙面左方向に押し込まれると、スロープ部５４は当接面１０４から反力を加えられる。側壁２７とスライド部５０との間には隙間があるため、先端部５３はこの隙間の分だけ紙面上方向に移動して側壁２７と当接する。以上の動作によって棒状部１０１は図７の紙面下方向に押止されるため、電子キーを振った際に棒状部１０１のガタツキは抑制されていた。
【０００７】
しかし、従来のロック機構では、エマージェンシーキーを引き抜く方向（図７の紙面上方向）に力が加えられたときに依然としてガタツキが生じていた。
【０００８】
図７に示すように、先端部５３の平面部５３ａと窪み部１０２の当接面１０４との間には、寸法公差によって隙間ｄ１が生じる。この隙間ｄ１が無いと、寸法公差によっては、エマージェンシーキーをロックできない不良品が発生する場合が生じる。すなわち、スライド部５０が窪み部１０２に向かって移動したとき、先端部５３の先端が棒状部１０１の側壁に進路を妨げられて先端部５３が窪み部１０２に嵌合しなくなってしまう。図８のよ
うに先端部５３が側壁２７側に移動すると、平面部５３ａと当接面１０４との隙間ｄ２は、隙間ｄ１より大きくなる。
【０００９】
平面部５３ａと当接面１０４との隙間ｄ２が大きくなると、スライド部５０が移動するほど図８の紙面上方向の力がエマージェンシーキーに加えられたとき、エマージェンシーキーのガタツキが大きくなる。具体的には、棒状部１０１が強い力で挿脱方向に引っ張られると、スロープ部５４に図８の紙面右方向の力が加わってスライド部５０が図８の紙面右方向にスライドする。棒状部１０１は、当接面１０４が平面部５３ａに当接するまで図８の紙面上方に移動する。このとき、先端部５３によってエマージェンシーキーのロックは維持されるが、棒状部１０１が隙間ｄ２だけ図８の紙面上方向に移動する。以上のように、エマージェンシーキーが図８の紙面上方向に引っ張られると、側壁２７とスライド部５０の隙間の分だけエマージェンシーキーのガタツキが大きくなるという問題があった。
【００１０】
本発明は、上記のような問題点を解決するもので、エマージェンシーキーが引っ張られた際のガタツキを抑制することができる電子キーを提供することを目的とする。
【課題を解決するための手段】
【００１１】
上記目的を達成するため、本発明の電子キーは、収納部の入口側に突出してガイド部の側壁に当接可能な第１の突出部を先端部に、収納部の奥側に突出してガイド部の側壁に当接可能な第２の突出部を後端部にそれぞれ設けたことを特徴とした。
【発明の効果】
【００１２】
本発明の電子キーによれば、エマージェンシーキーが引っ張られた際のガタツキを抑制することができる電子キーを提供することができる。
【図面の簡単な説明】
【００１３】
【図１】本実施形態における電子キーの斜視図
【図２】同図１の分解斜視図
【図３】同図１を上下反対に見たときの斜視図
【図４】同図２の要部である下ケースにエマージェンシーキーを収納した状態の上面図
【図５】同図２のＡ−Ａ断面をＢ方向に見たときの断面図
【図６】同図５の点線領域Ｃの拡大図
【図７】従来のエマージェンシーキーのロック機構の構造を説明する図
【図８】同図７の状態からロックが完了した状態を説明する図
【発明を実施するための形態】
【００１４】
以下、本発明の実施形態に係る電子キーについて図面を用いて説明する。
【００１５】
図１は本実施形態における電子キーの斜視図である。図２は図１の分解斜視図である。図３は図１を上下反対に見たときの斜視図である。図４は図２の要部である下ケースにエマージェンシーキーを収納した状態の上面図である。図５は図２のＡ−Ａ断面をＢ方向に見たときの断面図である。図６は図５の点線領域Ｃの拡大図である。
【００１６】
図１〜図３に示すように、電子キーは、上ケース１０と、下ケース２０と、この上ケース１０と下ケース２０によって覆われる内ケース３０と、この内ケース３０の上面側を覆う防水カバー４０と、下ケース２０に収容される非常用のエマージェンシーキー１００とを有する。
【００１７】
エマージェンシーキー１００は、金属製の棒状部１０１と、この棒状部の一部が窪んだ溝部１０２と、棒状部１０１の後端を内部に配設した樹脂製の頭部１０３とを有する。
【００１８】
上ケース１０、下ケース２０、内ケース３０は樹脂で構成される。上ケース１０は、下ケース２０と結合し、内ケース３０と防水カバー４０を内部に収容する。上ケース１０は、３つのボタン１１ａ〜１１ｃからなるボタン１１を設けている。
【００１９】
下ケース２０は側壁にロック爪２１を設けている。このロック爪２１によって上ケース１０と下ケース２０とは嵌合される。下ケース２０は、エマージェンシーキー１００の棒状部１０１を挿入する収納部２２を設けている。エマージェンシーキー１００の棒状部１０１はこの収納部２２に挿入される。また、下ケース２０は、収納部２２の上面よりも下方に窪んだ凹部２３を設けている。凹部２３には、位置決め穴２４が設けられている。この位置決め穴２４に図示しない内ケースの突出部が嵌合される。
【００２０】
下ケース２０は、収納部２２の入口側に、溝状のガイド部２５を設けている。このガイド部２５にはスライド部５０が配設される。ガイド部２５は、蓋部７０で覆われる。ガイド部２５には台形形状のリブ２６が設けられている。このリブ２６は側壁２７と側壁２８とに固着してガイド部２５を補強する。蓋部７０の窪み部７１はリブ２６に嵌合する。この嵌合によって、蓋部７０はガイド部２５に位置決め固定される。
【００２１】
内ケース３０の内部には、図示しない回路基板や電子回路が配設されている。この回路基板や電子回路によって外部の電子装置とドアの開閉等の遠隔制御が行われる。内ケース３０の下面には外部と通信を行う図示しない回路基板や電子回路を駆動する電池３９が設けられている。
【００２２】
防水カバー４０は、弾性材料で構成され、内ケース３０の上面を封止する。弾性材料は、例えばゴムで構成される。防水カバー４０は上面側に突出した押圧部４１ａ〜４１ｃを有する。ボタン１１ａ〜１１ｃが押圧されると、防水カバー４０に設けられた押圧部４１ａ〜４１ｃがそれぞれ押圧される。このとき、図示しない内ケース３０内のスイッチが押圧されて、内ケース３０内の回路基板や電子回路に各種命令が入力される。防水カバー４０の外壁面の長辺側の両端部からは、突出部４２が突出する。この突出部４２が上ケース１０の底面の窪みに嵌合することによって、防水カバー４０とこの防水カバー４０に保持された内ケース３０が上ケース１０に保持される。
【００２３】
次に、電子キーのスライド部５０とガイド部２５によって構成されるエマージェンシーキー１００のロック機構について説明する。
【００２４】
スライド部５０は、下ケース２０側に突出するノブ５１を有する。図３に示すように、このノブ５１は、下ケース２０のガイド部２５底面に設けた孔２７から外部に突出する。図４に示すように、スライド部５０の後端部５２は窪んでいる。後端部５２からは弾性部材であるバネ６０の一部が露出する。図５に示すように、スライド部５０は内部に袋状の穴が設けられており、バネ６０が挿設される。バネ６０の後端にはガイド部２５内に設けた突出部２５ａが当接される。このバネ６０によってスライド部５０は収納部２２側に付勢される。また、スライド部５０は、エマージェンシーキー１００の溝部１０２に当接する先端部５３を有する。
【００２５】
ユーザは、ノブ５１を外部から操作して、ガイド部２５内でスライド部５０を左右に摺動することができる。ノブ５１が収納部２２に近づく方向に動かされると、図４や図５に示すように、エマージェンシーキー１００は、溝部１０２に係止した先端部５３にロックされて収納部２２内に保持される。一方、ノブ５１が収納部２２から離れる方向に動かされると、先端部５３が溝部１０２から離間するので、エマージェンシーキー１００は下ケース２０から挿脱可能になる。
【００２６】
図６に示すように、スライド部５０は、先端部５３の収納部２２奥側にスロープ部５４を有する。スライド部５０がエマージェンシーキー１００側（図６の紙面左側）に動くと、スロープ部５４が溝部１０２の収納部２２奥側端部に当接しながら摺動する。そして、先端部５３は溝部１０２の溝内に挿入される。これによって、先端部５３は溝部１０２を係止する。そして、エマージェンシーキー１００はスライド部５０によってロックされる。
【００２７】
また、スライド部５０は、先端部５３に第１の突出部５５を有する。第１の突出部５５は、先端部５３の収納部２２入口側に設けられている。第１の突出部５５は、ガイド部２５の一方の側壁２７側に突出する。また、スライド部５０は、後端部５２に第２の突出部５６を有する。第２の突出部５６は、先端部５３の収納部２２奥側に設けられている。第２の突出部５６は、ガイド部２５の他方の側壁２８側に突出する。この第１の突出部５５、第２の突出部５６は、側壁２７、側壁２８にそれぞれ当接可能に設定される。
【００２８】
エマージェンシーキー１００が図６の紙面上方向に引っ張られると、スライド部５０がバネ６０側に押し戻される。このスライド部５０は、先端部５３の平面部５３ａとエマージェンシーキーの窪み部１０２の当接面１０４が当接するところまでスライドする。
【００２９】
図８に示す従来のロック構造では、図７の先端部５３が図８のように側壁２７側に傾いて平面部５３ａと当接面１０４との隙間がｄ１からｄ２に増加している。このため、エマージェンシーキー１００を上方向に引っ張ると、この隙間ｄ１からｄ２への増加分だけエマージェンシーキー１００のガタツキも増大した。
【００３０】
一方、本実施形態では、図６に示されるように、第１の突出部５５と第２の突出部５６によって先端部５３の側壁２７側への移動が抑制される。このため、平面部５３ａと当接面１０４との隙間ｄ３は、図７の隙間ｄ１よりも小さくなる。したがって、エマージェンシーキー１００のガタツキを抑制することができる。
【００３１】
寸法公差によって第１の突出部５５、第２の突出部５６の突出量の和が、スライド部５０と側壁２７との間の隙間、および、スライド部５０と側壁２８との間の隙間の和を超えても、スライド部５０は斜めに傾いてガイド部２５内に配設される。具体的には先端部５３が側壁２８の方向に、後端部５２が側壁２７の方向に向かって傾く。このとき、平面部５３ａと当接面１０４の隙間ｄ３はさらに減少して、エマージェンシーキー１００のガタツキはさらに抑制される。なお、本実施形態における寸法公差は、スライド部５０とガイド部２５とが対向する方向（図６の紙面上下方向）におけるスライド部５０とガイド部２５の寸法公差の和を意味する。
【００３２】
また、スライド部５０と側壁２７との間の隙間、および、スライド部５０と側壁２８との間の隙間の和は、寸法公差以上に設定される。したがって、先端部５３のうち第１の突出部５５と逆側（図６の側壁２８と対向する側の面）の部分と側壁２８との隙間、後端部５２のうち第２の突出部５６と逆側（図６の側壁２７と対向する側の面）の部分と壁２７との隙間はいずれも寸法公差以上に設定される。これによって、第１の突出部５５、第２の突出部５６を設けた場合でも寸法公差による不良品の発生を防ぐことができる。
【００３３】
一方で、スライド部５０とガイド部２５とが対向する方向（図６の紙面上下方向）に関して、第１の突出部５５の先端から第２の突出部５６の先端までの長さは、ガイド部２５の溝幅から寸法公差を減じた長さよりも大きい。これらの関係によって、スライド部５０は斜めに傾いて第１の突出部５５の先端は側壁２７と当接し、第２の突出部５６の先端は側壁２８と当接する。そして、バネ６０の付勢力によってスライド部５０はガイド部２５
を摺動して窪み部１０２に嵌合する。したがって、これらの関係によって、従来同様に不良品を発生させることなく、エマージェンシーキー１００のガタツキを抑制することができる。
【００３４】
以上より、本実施形態の電子キーによれば、スライド部５０について、収納部２２の入口側に突出して側壁２７に当接可能な第１の突出部５５を先端部５３に、収納部２２の奥側に突出して側壁２８に当接可能な第２の突出部５６を後端部５２にそれぞれ設けることによって、エマージェンシーキー１００を引っ張った際のガタツキを抑制することができる。
【産業上の利用可能性】
【００３５】
本発明に係る電子キーは、キーレスエントリ等、機械式キーであるエマージェンシーキーを有する電子キーと電子装置との間で通信を行う電子キーシステムに有用である。
【符号の説明】
【００３６】
１０    上ケース
２０    下ケース
２２    収納部
２５    ガイド部
５０    スライド部
５５    第１の突出部
５６    第２の突出部
１００  エマージェンシーキー
【図１】
2014111857.tif 000003
【図２】
2014111857.tif 000004
【図３】
2014111857.tif 000005
【図４】
2014111857.tif 000006
【図５】
2014111857.tif 000007
【図６】
2014111857.tif 000008
【図７】
2014111857.tif 000009
【図８】
2014111857.tif 000010